(57)【要約】【課題】ロック状態にあるロッドのガタを低減できる押上装置を得る。【解決手段】第２スプリング２６は、第２スリーブ２４の鍔部８４とケース１６の底との間で圧縮され、第２スリーブ２４を介してロッド２０をケース１６内から突出する方向に向かって付勢している。第１スプリング２５は第１スリーブ２３と第２スリーブ２４との間に位置し、第１スリーブ２３と第２スリーブ２４の間で圧縮されている。このため、第１スプリング２５が第１スリーブ２３を介して、回転カム２２の係合突起５６を、キャップ１８に形成されたロック溝５２のロック部５２Ｂに押圧することで、ロック状態にあるロッド２０の軸方向へのガタが低減されるようになっている。【選択図】図３
2015131542.tif 000002
【特許請求の範囲】
【請求項１】
第１部材に対向する第２部材側に固定される筒形のケースと、
前記ケース内にスライド可能に保持され、前記ケース内から突出して前記第１部材を押し出す前進位置となるロッドと、
前記ケースと前記ロッドとの間に位置し、前記ケース内で弾性変形により圧縮されて前記ロッドを前記ケース内から押し出す突出方向へ付勢するロッド付勢手段と、
前記ロッドとともに前記突出方向へ移動するスライドカムと、前記スライドカムの前記突出方向の後方に設けられ前記ロッドの軸回りに前記スライドカムに対して相対回転可能な回転カムと、を備え、前記ケースと前記ロッドとの間に位置し、前記ロッド付勢手段の付勢力に抗して前記ロッドを押し込むことで、前記回転カムが前記スライドカムと係合し回転することで前記ロッドを前記ケースの後退位置にロックするロック手段と、
前記ケース内に設けられ、前記回転カムを前記突出方向に向かって付勢する回転カム付勢手段と、
を有する押上装置。
【請求項２】
前記ロック手段は、
前記ロッドの軸方向の途中に位置し、半径方向に外向きに突出する突出部と、
前記突出部を境にして前記突出方向の後方に位置する下側ロッド部に軸方向にスライド可能に支持された前記スライドカムと、
前記スライドカムの前記突出方向の後方に前記下側ロッド部に回転可能で、且つ軸方向にスライド可能に支持され、前記スライドカムにかみ合うともに、前記ロッドのスライドにより係脱し、一方向の回転力を付与される前記回転カムと、
前記スライドカムの外周面と前記ケースの内周面とのいずれか一方に位置し、前記ロッドのスライド方向に延びるスライド溝と、
前記スライドカムの外周面と前記ケースの内周面とのいずれか他方に位置し、前記スライドカムのスライドにより前記スライド溝内を相対的にスライドすることで、前記ケースに対する前記スライドカムの回転を阻止するスライド突起と、
前記回転カムの外周面と前記ケースの内周面とのいずれか一方から突出する係合突起と、
前記回転カムの外周面と前記ケースの内周面とのいずれか他方に位置し、前記係合突起がはまり込むロック部を有し、前記回転カムが前記スライドカムから係脱することで前記回転カムが回転することにより、前記ロック部にはまり込んでいた前記係合突起が前記ロック部から係脱可能なロック溝と、
前記回転カムの前記突出方向の後方に、前記下側ロッド部に回転可能で、且つ軸方向にスライド可能に支持され、前記回転カムに当接可能とされた第１スリーブと、
前記第１スリーブの前記突出方向の後方に、前記下側ロッド部に挿通され、前記ロッドのスライド方向の移動を制限するための第２スリーブと、
を備え、
前記回転カム付勢手段は前記下側ロッド部に挿通され、前記第１スリーブと前記第２スリーブとの間で弾縮され、前記第１スリーブを前記突出方向に向かって付勢する第１スプリングであり、
前記ロッド付勢手段は前記下側ロッド部に挿通され、前記ケース内と前記第２スリーブとの間で弾縮され、前記第２スリーブを前記突出方向に向かって付勢する第２スプリングである請求項１に記載の押上装置。
【請求項３】
前記ロック手段は、
前記ロッドの軸方向の途中に位置し、半径方向に外向きに突出する突出部と、
前記突出部を境にして前記突出方向の後方に位置する下側ロッド部に軸方向にスライド可能に支持された前記スライドカムと、
前記スライドカムの前記突出方向の後方に前記下側ロッド部に回転可能で、且つ軸方向にスライド可能に支持され、前記スライドカムにかみ合うともに、前記ロッドのスライドにより係脱し、一方向の回転力を付与される前記回転カムと、
前記スライドカムの外周面と前記ケースの内周面とのいずれか一方に位置し、前記ロッドのスライド方向に延びるスライド溝と、
前記スライドカムの外周面と前記ケースの内周面とのいずれか他方に位置し、前記スライドカムのスライドにより前記スライド溝内を相対的にスライドすることで、前記ケースに対する前記スライドカムの回転を阻止するスライド突起と、
前記回転カムの外周面と前記ケースの内周面とのいずれか一方から突出する係合突起と、
前記回転カムの外周面と前記ケースの内周面とのいずれか他方に位置し、前記係合突起がはまり込むロック部を有し、前記回転カムが前記スライドカムから係脱することで前記回転カムが回転することにより、前記ロック部にはまり込んでいた前記係合突起が前記ロック部から係脱可能なロック溝と、
前記回転カムの前記突出方向の後方に、前記下側ロッド部に回転可能で、且つ軸方向にスライド可能に支持され、前記回転カムに当接可能とされたスリーブと、
前記スリーブの前記突出方向の後方に、前記下側ロッド部に挿通され、前記ロッドのスライド方向の移動を制限するためのグロメットと、
を備え、
前記回転カム付勢手段は前記下側ロッド部に挿通され、前記スリーブと前記グロメットとの間で弾縮され、前記スリーブを前記突出方向に向かって付勢する第１スプリングであり、
前記ロッド付勢手段は前記下側ロッド部に挿通され、前記ケース内と前記スリーブとの間で弾縮され、前記スリーブを前記突出方向に向かって付勢する第２スプリングである請求項１に記載の押上装置。
【請求項４】
前記ロック手段は、
前記ロッドの軸方向の途中に形成され、半径方向に外向きに突出する前記スライドカムと、
前記スライドカムの前記突出方向の後方に位置する下側ロッド部に回転可能で、且つ軸方向にスライド可能に支持され、前記スライドカムにかみ合うともに、前記ロッドのスライドにより係脱し、一方向の回転力を付与される前記回転カムと、
前記スライドカムの外周面と前記ケースの内周面とのいずれか一方に位置し、前記ロッドのスライド方向に延びるスライド溝と、
前記スライドカムの外周面と前記ケースの内周面とのいずれか他方に位置し、前記ロッドのスライドにより前記スライド溝内を相対的にスライドすることで、前記ケースに対する前記ロッドの回転を阻止するスライド突起と、
前記回転カムの外周面と前記ケースの内周面とのいずれか一方から突出する係合突起と、
前記回転カムの外周面と前記ケースの内周面とのいずれか他方に位置し、前記係合突起がはまり込むロック部を有し、前記回転カムが前記スライドカムから係脱することで前記回転カムが回転することにより、前記ロック部にはまり込んでいた前記係合突起が前記ロック部から係脱可能なロック溝と、
前記下側ロッド部に挿通され、前記ロッドのスライド方向の移動を制限するためのスリーブと、
を備え、
前記回転カム付勢手段は、前記下側ロッド部に挿通され、前記回転カムと前記スリーブとの間で弾縮され、前記回転カムを前記突出方向に向かって付勢する第１スプリングであり、
前記ロッド付勢手段は、前記下側ロッド部に挿通され、前記ケース内と前記スリーブとの間で弾縮され、前記スリーブを前記突出方向に向かって付勢する第２スプリングである請求項１に記載の押上装置。
【請求項５】
前記第２部材が車体であり、前記第１部材が前記車体に開閉方向へ回転可能に取付けられたフューエルリッドである請求項１〜４の何れか１項に記載の押上装置。
【発明の詳細な説明】
【技術分野】
【０００１】
本発明は、車体等の部材に開閉可能に取り付けられたフューエルリッド等の部材を開方向へ押し出すための押上装置に関するものである。
【背景技術】
【０００２】
従来、押上装置としては、例えば、特許文献１がある。この従来技術では、フューエルリッドに対向する車体側に固定される筒形のケースと、ケース内にスライド可能に保持され、ケース内から突出してフューエルリッドを押し出すロッドと、を備えている。また、付勢手段の付勢力に抗してロッドを押し込むことで、ロッドをケースの後退位置にロック状態とするためのロック手段を備えている。
【先行技術文献】
【特許文献】
【０００３】
【特許文献１】特開２０１１−５９４５号公報
【発明の概要】
【発明が解決しようとする課題】
【０００４】
しかしながら、特許文献１では、ロック状態を解除する際に回転カムをロッドの軸回りに回転させるために、ロッドに軸方向のガタが形成されている。この結果、ロック状態にあるロッドにガタが発生する。
【０００５】
本発明は上記事実を考慮し、ロック状態にあるロッドのガタを低減できる押上装置を得ることを課題とする。
【課題を解決するための手段】
【０００６】
請求項１に記載の本発明の押上装置は、第１部材に対向する第２部材側に固定される筒形のケースと、前記ケース内にスライド可能に保持され、前記ケース内から突出して前記第１部材を押し出す前進位置となるロッドと、前記ケースと前記ロッドとの間に位置し、前記ケース内で弾性変形により圧縮されて前記ロッドを前記ケース内から押し出す突出方向へ付勢するロッド付勢手段と、前記ロッドとともに前記突出方向へ移動するスライドカムと、前記スライドカムの前記突出方向の後方に設けられ前記ロッドの軸回りに前記スライドカムに対して相対回転可能な回転カムと、を備え、前記ケースと前記ロッドとの間に位置し、前記ロッド付勢手段の付勢力に抗して前記ロッドを押し込むことで、前記回転カムが前記スライドカムと係合し回転することで前記ロッドを前記ケースの後退位置にロックするロック手段と、前記ケース内に設けられ、前記回転カムを前記突出方向に向かって付勢する回転カム付勢手段と、を有する。
【０００７】
請求項１に記載の本発明の押上装置では、第１部材に対向する第２部材側に固定される筒形のケースと、ケース内にスライド可能に保持されケース内から突出して第１部材を押し出す前進位置となるロッドとの間に位置するロッド付勢手段が、ケース内で弾性変形により圧縮されてロッドをケース内から押し出す突出方向へ付勢する。また、ロッド付勢手段の付勢力に抗してロッドを押し込むと、回転カムがスライドカムと係合し回転することで、ケースとロッドとの間に位置するロック手段によりロッドが後退位置でロック状態となる。また、回転カム付勢手段により回転カムがロッドの突出方向に向かって付勢される。このため、ロック状態では、回転カム付勢手段により回転カムがスライドカムに押圧されることで、ロッドの軸方向へのガタが低減される。
【０００８】
請求項２記載の本発明は請求項１に記載の押上装置において、前記ロック手段は、前記ロッドの軸方向の途中に位置し、半径方向に外向きに突出する突出部と、前記突出部を境にして前記突出方向の後方に位置する下側ロッド部に軸方向にスライド可能に支持された前記スライドカムと、前記スライドカムの前記突出方向の後方に前記下側ロッド部に回転可能で、且つ軸方向にスライド可能に支持され、前記スライドカムにかみ合うともに、前記ロッドのスライドにより係脱し、一方向の回転力を付与される前記回転カムと、前記スライドカムの外周面と前記ケースの内周面とのいずれか一方に位置し、前記ロッドのスライド方向に延びるスライド溝と、前記スライドカムの外周面と前記ケースの内周面とのいずれか他方に位置し、前記スライドカムのスライドにより前記スライド溝内を相対的にスライドすることで、前記ケースに対する前記スライドカムの回転を阻止するスライド突起と、前記回転カムの外周面と前記ケースの内周面とのいずれか一方から突出する係合突起と、前記回転カムの外周面と前記ケースの内周面とのいずれか他方に位置し、前記係合突起がはまり込むロック部を有し、前記回転カムが前記スライドカムから係脱することで前記回転カムが回転することにより、前記ロック部にはまり込んでいた前記係合突起が前記ロック部から係脱可能なロック溝と、前記回転カムの前記突出方向の後方に、前記下側ロッド部に回転可能で、且つ軸方向にスライド可能に支持され、前記回転カムに当接可能とされた第１スリーブと、前記第１スリーブの前記突出方向の後方に、前記下側ロッド部に挿通され、前記ロッドのスライド方向の移動を制限するための第２スリーブと、を備え、前記回転カム付勢手段は前記下側ロッド部に挿通され、前記第１スリーブと前記第２スリーブとの間で弾縮され、前記第１スリーブを前記突出方向に向かって付勢する第１スプリングであり、前記ロッド付勢手段は前記下側ロッド部に挿通され、前記ケース内と前記第２スリーブとの間で弾縮され、前記第２スリーブを前記突出方向に向かって付勢する第２スプリングである。
【０００９】
請求項２に記載の本発明の押上装置では、下側ロッド部に挿通された第２スプリングが、ケース内と第２スリーブとの間で弾縮され、第２スリーブを介しロッドを突出方向に向かって付勢する。また、下側ロッド部に挿通された第１スプリングが第１スリーブと第２スリーブとの間で弾縮され、第１スプリングにより第１スリーブを介して回転カムがロッドの突出方向に押圧される。また、ロック状態では、第１スプリングが第２スプリングに押されて撓み、第１スリーブ、回転カム、スライドカムが互いに当接、または、接近することで、第２スプリングの付勢力がロッドに直接作用し、ロッドの軸方向へのガタが低減される。また、ロック状態では、第２スプリングの付勢力が回転カムをスライドカムに押圧した状態でロックされているが、作動の際には、ロッドが、反突出方向へ押されるため、第１スリーブと第２スリーブとの間に隙間が生じて、回転カムとスライドカムに第２スプリングの付勢力が作用しなくなる。このため、第１スプリングの付勢力を回転カムとスライドカムの作動に必要な最小限の軽い荷重に抑えることで、回転カムとスライドカムの作動音を低減できる。
【００１０】
請求項３記載の本発明は請求項１に記載の押上装置において、前記ロック手段は、前記ロッドの軸方向の途中に位置し、半径方向に外向きに突出する突出部と、前記突出部を境にして前記突出方向の後方に位置する下側ロッド部に軸方向にスライド可能に支持された前記スライドカムと、前記スライドカムの前記突出方向の後方に前記下側ロッド部に回転可能で、且つ軸方向にスライド可能に支持され、前記スライドカムにかみ合うともに、前記ロッドのスライドにより係脱し、一方向の回転力を付与される前記回転カムと、前記スライドカムの外周面と前記ケースの内周面とのいずれか一方に位置し、前記ロッドのスライド方向に延びるスライド溝と、前記スライドカムの外周面と前記ケースの内周面とのいずれか他方に位置し、前記スライドカムのスライドにより前記スライド溝内を相対的にスライドすることで、前記ケースに対する前記スライドカムの回転を阻止するスライド突起と、前記回転カムの外周面と前記ケースの内周面とのいずれか一方から突出する係合突起と、前記回転カムの外周面と前記ケースの内周面とのいずれか他方に位置し、前記係合突起がはまり込む前記ロック部を有し、前記回転カムが前記スライドカムから係脱することで前記回転カムが回転することにより、前記ロック部にはまり込んでいた前記係合突起が前記ロック部から係脱可能なロック溝と、前記回転カムの前記突出方向の後方に、前記下側ロッド部に回転可能で、且つ軸方向にスライド可能に支持され、前記回転カムに当接可能とされたスリーブと、前記スリーブの前記突出方向の後方に、前記下側ロッド部に挿通され、前記ロッドのスライド方向の移動を制限するためのグロメットと、を備え、前記回転カム付勢手段は前記下側ロッド部に挿通され、前記スリーブと前記グロメットとの間で弾縮され、前記スリーブを前記突出方向に向かって付勢する第１スプリングであり、前記ロッド付勢手段は前記下側ロッド部に挿通され、前記ケース内と前記スリーブとの間で弾縮され、前記スリーブを前記突出方向に向かって付勢する第２スプリングである。
【００１１】
請求項３記載の本発明の押上装置では、下側ロッド部に挿通された第２スプリングが、ケース内とスリーブとの間で弾縮され、スリーブを介しロッドを突出方向に向かって付勢する。また、下側ロッド部に挿通された第１スプリングがスリーブとグロメットとの間で弾縮され、第１スプリングによりスリーブを介して回転カムがロッドの突出方向に押圧される。このため、ロック状態では、第１スプリングにより回転カムがスライドカムに押圧されることで、ロッドの軸方向へのガタが低減される。
【００１２】
請求項４記載の本発明は請求項１に記載の押上装置において、前記ロック手段は、前記ロッドの軸方向の途中に形成され、半径方向に外向きに突出する前記スライドカムと、前記スライドカムの前記突出方向の後方に位置する下側ロッド部に回転可能で、且つ軸方向にスライド可能に支持され、前記スライドカムにかみ合うともに、前記ロッドのスライドにより係脱し、一方向の回転力を付与される前記回転カムと、前記スライドカムの外周面と前記ケースの内周面とのいずれか一方に位置し、前記ロッドのスライド方向に延びるスライド溝と、前記スライドカムの外周面と前記ケースの内周面とのいずれか他方に位置し、前記ロッドのスライドにより前記スライド溝内を相対的にスライドすることで、前記ケースに対する前記ロッドの回転を阻止するスライド突起と、前記回転カムの外周面と前記ケースの内周面とのいずれか一方から突出する係合突起と、前記回転カムの外周面と前記ケースの内周面とのいずれか他方に位置し、前記係合突起がはまり込むロック部を有し、前記回転カムが前記スライドカムから係脱することで前記回転カムが回転することにより、前記ロック部にはまり込んでいた前記係合突起が前記ロック部から係脱可能なロック溝と、前記下側ロッド部に挿通され、前記ロッドのスライド方向の移動を制限するためのスリーブと、を備え、前記回転カム付勢手段は、前記下側ロッド部に挿通され、前記回転カムと前記スリーブとの間で弾縮され、前記回転カムを前記突出方向に向かって付勢する第１スプリングであり、前記ロッド付勢手段は、前記下側ロッド部に挿通され、前記ケース内と前記スリーブとの間で弾縮され、前記スリーブを前記突出方向に向かって付勢する第２スプリングである。
【００１３】
請求項４記載の本発明の押上装置では、下側ロッド部に挿通された第２スプリングが、ケース内とスリーブとの間で弾縮され、スリーブを介しロッドを突出方向に向かって付勢する。また、下側ロッド部に挿通された第１スプリングが回転カムとスリーブとの間で弾縮され、第１スプリングにより回転カムがロッドの突出方向に押圧される。また、ロック状態では、第１スプリングが第２スプリングに押されて撓み、スリーブ、回転カム、スライドカムが互いに当接、または、接近することで、第２スプリングの付勢力がロッドに直接作用し、ロッドの軸方向へのガタが低減される。また、ロック状態では、第２スプリングの付勢力が回転カムをスライドカムに押圧した状態でロックされているが、作動の際には、ロッドが、反突出方向へ押されるため、回転カムとスリーブとの間に隙間が生じて、回転カムとスライドカムに第２スプリングの付勢力が作用しなくなる。このため、第１スプリングの付勢力を回転カムとスライドカムの作動に必要な最小限の軽い荷重に抑えることで、回転カムとスライドカムの作動音を低減できる。
【００１４】
請求項５記載の本発明は請求項１〜４の何れか１項に記載の押上装置において、前記第２部材が車体であり、前記第１部材が前記車体に開閉方向へ回転可能に取付けられたフューエルリッドである。
【００１５】
請求項５記載の本発明の押上装置では、請求項１〜請求項４の何れか１項に記載の押上装置け具を備えているため、車体に開閉方向へ回転可能に取付けられたフューエルリッドにおいて前述した如き作用効果を奏する。
【発明の効果】
【００１６】
請求項１に記載の本発明の押上装置は、上記構成としたので、ロック状態にあるロッドのガタを低減できる。
【００１７】
請求項２に記載の本発明の押上装置は、上記構成としたので、ロック状態にあるロッドのガタを低減できると共に、回転カムとスライドカムの作動音を低減できる。
【００１８】
請求項３に記載の本発明の押上装置は、上記構成としたので、ロック状態にあるロッドのガタを低減できる。
【００１９】
請求項４に記載の本発明の押上装置は、上記構成としたので、ロック状態にあるロッドのガタを低減できると共に、回転カムとスライドカムの作動音を低減できる。
【００２０】
請求項５に記載の本発明の押上装置は、上記構成としたので、ロック状態にあるロッド及びフューエルリッドのガタを低減できる。
【図面の簡単な説明】
【００２１】
【図１】本発明の第１実施形態に係る押上装置のロック解除状態を示す側断面図である。
【図２】本発明の第１実施形態に係る押上装置のロック状態を示す側断面図である。
【図３】本発明の第１実施形態に係る押上装置を示す分解斜視図である。
【図４】押上装置のロック手段の動作を説明するための説明図である。
【図５】ロッドを押し込んだ状態を示す図４に対応する説明図である。
【図６】ロック手段のロック状態を示す図４に対応する説明図である。
【図７】本発明の第１実施形態に係る押上装置のキャップを示す側断面図である。
【図８】本発明の第１実施形態に係る押上装置の車体への取付け状態を示す側面図である。
【図９】本発明の第２実施形態に係る押上装置のロック解除状態を示す側断面図である。
【図１０】本発明の第２実施形態に係る押上装置のロック状態を示す側断面図である。
【図１１】本発明の第２実施形態に係る押上装置の分解斜視図である。
【図１２】本発明の第３実施形態に係る押上装置のロック解除状態を示す側断面図である。
【図１３】本発明の第３実施形態に係る押上装置のロック状態を示す側断面図である。
【図１４】本発明の第３実施形態に係る押上装置の分解斜視図である。
【発明を実施するための形態】
【００２２】
（第１実施形態）
次に、本発明の押上装置の第１実施形態を図１〜図８に従って説明する。
図２に示すように、本実施形態の押上装置１０は、例えば、自動車の車体において、第１部材としてのフューエルリッド１２に対向する第２部材としての車体のインナーパネル１４に設けられている。また、フューエルリッド１２は、図示しないヒンジによってインナーパネル１４に開閉方向へ回転可能に取付けられており、押上装置１０によって開方向となる突出方向（図２の矢印Ａ方向）へ押し出されるようになっている。
【００２３】
図１に示すように、押上装置１０は、ケース１６、ロッド２０、ロック手段としてのロッド２０の突出部６４、キャップ１８、スライドカム２１、回転カム２２、第１スリーブ２３、第２スリーブ２４、回転カム付勢手段としての第１スプリング２５、ロッド付勢手段としての第２スプリング２６、ブーツ２８を備えている。なお、押上装置１０のパーツは、上記したパーツに限定されない。また、第１スプリング２５と第２スプリング２６は一例としてコイルスプリングで構成されており、第２スプリング２６の付勢力（荷重）に比べて第１スプリング２５の付勢力（荷重）が小さく（軽く）設定されている。
【００２４】
（ケース）
図３に示すように、ケース１６は筒形に形成されている。なお、図２に示すように、インナーパネル１４には、表裏面に貫通する取付け孔３２が形成されており、この取付け孔３２にケース１６が固定されるようになっている。
【００２５】
図３に示すように、ケース１６は、上面が開口した円筒形に形成されており、底面が形成されている。また、ケース１６の外径は、インナーパネル１４の取付け孔３２の内径以下に設定されている。ケース１６の開口側端部には、半径方向の外向きに張り出すフランジ部３４が形成されており、フランジ部３４の上側には、環状の取付け部３６が形成されている。また、フランジ部３４の下側には、ケース１６の外周から放射状に複数個の弾性変形可能に突出する弾性爪３８が形成されており、これらの弾性爪３８は、インナーパネル１４の板厚の間隔を保ってフランジ部３４の下面から離れている。
【００２６】
図２に示すように、ケース１６を取付け孔３２に合わせてはめ込むと、弾性爪３８が一旦引っ込み、その後、インナーパネル１４の裏面側で弾性的に復帰し、フランジ部３４の下面との間でインナーパネル１４を挟持することで、取付け孔３２にケース１６が固定されるようになっている。
【００２７】
（キャップ）
図１に示すように、キャップ１８は、ケース１６の開口上面に取り付けられている。
【００２８】
図３に示すように、キャップ１８は、ケース１６の開口上面より一回り大きい蓋部４０と、蓋部４０の下面から一段細くなって円筒形に延びる円筒部４２とを備えている。
【００２９】
図７に示すように、キャップ１８の蓋部４０の内周部には、上下に貫通した円形の貫通孔４４が形成されており、貫通孔４４には、ロッド２０が挿通されるようになっている。また、貫通孔４４の内周部には凸部４５が突出形成されている。なお、キャップ１８の円筒部４２は、外周がケース１６の内径以下に設定されており、ケース１６内に挿入されている。また、キャップ１８の円筒部４２の外周における蓋部４０に隣接する部位には、放射状に複数個の弾性変形可能に突出する係止爪４６が形成されている。
【００３０】
図３に示すように、ケース１６の取付け部３６には、内外に貫通する複数個の係止孔４８が形成されており、ケース１６の係止孔４８にキャップ１８の係止爪４６がはまり込むようになっている。
【００３１】
従って、キャップ１８の円筒部４２をケース１６の開口上面に合わせてはめ込むと、係止爪４６が一旦、引っ込み、その後、係止孔４８に弾性的にはまり込むことで、ケース１６にキャップ１８が固定されるようになっている。
【００３２】
図７に示すように、キャップ１８の円筒部４２の内周面には、凹設されたスライド溝５０が形成されている。スライド溝５０は、スライドカム２１をスライド可能に保持するようになっている。なお、スライド溝５０は、複数個形成されており、上端部が行き止まり、下端部が開放している。スライド溝５０の下側には、円筒部４２の内周面に凹設されたロック溝５２が形成されており、ロック溝５２が回転カム２２を回転不能にロックするようになっている。また、ロック溝５２は、隣接したスライド溝５０の間隔内に形成され、円筒部４２の内周面の周方向に沿って鋸歯状に形成されている。
【００３３】
図４〜図６に示すように、ロック溝５２は、１個のスライド溝５０を基準として、スライド溝５０から回転カム２２の回転方向（図４〜図６中、矢印Ｂ方向）の前方に向かい、上方（ロッドの突出方向）に向かって上り傾斜した第１斜面部５２Ａと、第１斜面部５２Ａの傾斜上端部、すなわち、回転カム２２の回転方向の前方に位置し、後述する回転カム２２の係合突起５６がはまり込むロック部５２Ｂと、ロック部５２Ｂから下方に向かって切り立った垂直部５２Ｃと、垂直部５２Ｃの下端部から上方に向かって上り傾斜し、傾斜上端部が回転カム２２の回転方向の前方に位置する他の１個のスライド溝５０に臨む第２斜面部５２Ｄと、を備えている。
【００３４】
また、第１斜面部５４の傾斜下端部、すなわち、回転カム２２の回転方向の後方は、１個のスライド溝５０に臨んでいる。なお、第１斜面部５２Ａと第２斜面部５２Ｄとの傾斜角度は、一致している。
【００３５】
（ロッド）
図１に示すように、ロッド２０は、ケース１６内にスライド可能に保持され、ケース１６内から突出して前進位置となり、図２に示すフューエルリッド１２を押し出すようになっている。
【００３６】
図３に示すように、ロッド２０は、円柱棒状に形成され、軸方向の中間部に位置し、半径方向に外向きに円形板状に突出する突出部６４と、突出部６４の上側に位置し、ケース１６内から突出してフューエルリッド１２を押し出す上側ロッド部６６と、突出部６４の下側に位置し、第２スプリング２６が挿通される下側ロッド部６８とを備えている。なお、ロッド２０の突出部６４は、キャップ１８の蓋部４０における貫通孔４４の下方周辺部に当接し、ロッド２０の押し上げ方向への移動が阻止されるようになっている。
【００３７】
突出部６４のロッド２０の突出方向の後方に位置となる下方側には、下側ロッド部６８に挿通されたスライドカム２１が配置されている。スライドカム２１の下面には、後述する回転カム２２の可動側カム部８２とかみ合う固定側カム７２が形成されている。固定側カム７２は、スライドカム２１の下面の円周方向に沿って連続的に形成されており、鈍角波歯状に形成されている。また、スライドカム２１の外周には、放射状に複数個の突出するスライド突起７４が形成されている。
【００３８】
スライドカム２１のスライド突起７４は、キャップ１８のスライド溝５０にはまり合い、スライド溝５０に沿って昇降することで、スライドカム２１がキャップ１８内にスライド可能で、且つ回転不能に保持されるようになっている。
【００３９】
図３に示すように、ロッド２０の上側ロッド部６６の先端部となる上端には、係合部６７が形成されている。また、ロッド２０の上側ロッド部６６の長手方向中間部には、螺旋状のガイド溝７５が形成されており、このガイド溝７５がキャップ１８の凸部４５と摺動することで、ロッド２０の進退時にロッド２０が軸回り方向へ回転するようになっている。
【００４０】
図２に示すように、ロッド２０の係合部６７は、ロッド２０の軸方向と直交する方向に伸びる棒状とされている。従って、ロッド２０の進退時にロッド２０が軸回り方向へ回転することで、係合部６７が軸回り方向へ回転し、フューエルリッド１２の裏面に取付けられたリテーナ６９の係合孔６９Ａに、係合または係合解除されるようになっている。なお、係合孔６９Ａはリテーナ本体６９Ｂの上壁部に形成された長孔となっている。
【００４１】
図８に示すように、リテーナ６９のリテーナ本体６９Ｂはキャップ形状となっており、ブーツ２８の上部を覆うようになっている。また、リテーナ本体６９Ｂの上壁部からは、上方へ係合部６９Ｃが延設されており、係合部６９Ｃをフューエルリッド１２の取付け孔１３に係合させることで、リテーナ６９をフューエルリッド１２に取付けることができるようになっている。
【００４２】
従って、ロッド２０がロック状態にあるときには、図２に二点鎖線で示すように、ロッド２０の係合部６７がリテーナ６９の係合孔６９Ａに係合し、フューエルリッド１２を閉状態に保持するようになっている。
【００４３】
図３に示すように、ロッド２０の上側ロッド部６６の上端近傍には、ブーツ２８を取り付ける環状の環状溝７６が形成されている。また、ロッド２０の下側ロッド部６８の下端部には、後述する第２スリーブ２４の縮径部７８がはまり込むように細くなった、くびれ部８０が形成されている。
【００４４】
なお、ロッド２０のくびれ部８０の高さは、第２スリーブ２４の縮径部７８の上下方向の肉厚より高く設定されている。このため、くびれ部８０に、縮径部７８がはまり込んだ状態で、くびれ部８０の高さ方向にクリアランスが発生するようになっている。この結果、第２スリーブ２４の縮径部７８は、ロッド２０のくびれ部８０のクリアランス分だけ上下に昇降可能となっている。一方、ロッド２０は第２スリーブ２４に対して前記クリアランス分だけ上下に昇降可能となっている。
【００４５】
また、クリアランスの量は、後述する回転カム２２の可動側カム部８２がスライドカム２１の固定側カム７２にかみ合った第１の高さ位置と、固定側カム７２から係脱する第２の高さ位置との間において昇降する回転カム２２の昇降量に応じて設定されている。
【００４６】
（スリーブ)
図３に示すように、第１スリーブ２３は、スリーブ本体２３Ａ、鍔部２３Ｂを備えており、第２スリーブ２４は、スリーブ本体８８、鍔部８４、縮径部７８及びスリット９２を備えている。
【００４７】
図１に示すように、第１スリーブ２３は、ロッド２０の下側ロッド部６８に挿通され、回転カム２２と第１スプリング２５との間に位置し、第２スリーブ２４は、ロッド２０の下側ロッド部６８に挿通され、第１スリーブ２３と第２スプリング２６との間に位置している。
【００４８】
図１及び図３に示すように、第１スリーブ２３のスリーブ本体２３Ａと、第２スリーブ２４のスリーブ本体８８は筒形に形成されており、下側ロッド部６８に挿通されている。また、第１スリーブ２３の鍔部２３Ｂは、回転カム２２と当接するスリーブ本体２３Ａの上端部に位置しており、半径方向に外向きと内向きの双方に張り出している。一方、第２スリーブ２４の鍔部８４は、スリーブ本体８８の上端部に位置しており、半径方向に外向きに張り出している。
【００４９】
図１に示すように、第２スリーブ２４の縮径部７８は、上端部と反対側のスリーブ本体８８の下端部に位置しており、半径方向に内向きに環状に突出している。また、図３に示すように、スリット９２はスリーブ本体８８の上端部を複数に切り割っており、スリット９２は、スリーブ本体８８の直径方向に一対形成され、スリーブ本体８８の上側の端面から下方に向かって途中まで形成されている。
【００５０】
（回転カム付勢手段）
図１に示すように、第１スプリング２５は第１スリーブ２３と第２スリーブ２４との間に位置し、第１スリーブ２３の鍔部２３Ｂの内側と第２スリーブ２４の上端との間で圧縮されるようになっており、第１スリーブ２３と第２スリーブ２４とを互いに離間する方向へ付勢している。
【００５１】
（ロッド付勢手段）
図１に示すように、第２スプリング２６は、ケース１６と第２スリーブ２４との間に位置し、第２スリーブ２４の鍔部８４とケース１６の底との間で圧縮されるようになっており、第２スリーブ２４を介してロッド２０をケース１６内から押し出す突出方向に向かって付勢している。
【００５２】
（ロック手段）
図３に示すように、ロック手段はスライドカム２１と回転カム２２を備えた回転カム式となっており、ケース１６とロッド２０との間に位置し、第２スプリング２６の付勢力に抗してロッド２０をケース１６の後退位置にロックするようになっている。また、回転カム２２は、ロッド２０の下側ロッド部６８に回転可能で、且つ軸方向にスライド可能に支持されている。また、回転カム２２は、スライドカム２１の固定側カム７２にかみ合うと共に、ロッド２０のスライドにより係脱し、一方向の回転力を付与される可動側カム部８２を有している。
【００５３】
回転カム２２はドーナツ形に形成されており、中心に上下に貫通し、ロッド２０の下側ロッド部６８に挿通される中心孔８６と、上面に形成され、スライドカム２１の固定側カム７２にかみ合うと共に、ロッド２０のスライドにより係脱し、一方向の回転力を付与される可動側カム部８２とを備えている。可動側カム部８２は、スライドカム２１の固定側カム７２と相補的な形状を成しており、回転カム２２の上面の円周方向に沿って連続的、且つ鈍角波歯状に形成されている。また、回転カム２２の外周には、放射状に複数個の係合突起５６が形成されている。
【００５４】
図４〜図６に示すように、回転カム２２の係合突起５６は、上面に斜面を有する平面台形形に形成されており、キャップ１８のロック溝５２のロック部５２Ｂにはまり込むようになっている。また、回転カム２２の係合突起５６の台形形の斜面は、ロック溝Ａ５２の第１斜面部５２Ａと第２斜面部５２Ｄの傾斜角度に一致している。
【００５５】
回転カム２２の係合突起５６の左右方向の横幅は、キャップ１８のスライド溝５０の左右の溝幅以下に設定されており、スライド溝５０をスライド可能としている。
【００５６】
（ブーツ）
図３に示すように、ブーツ２８は、ケース１６から突出する上側ロッド部６６を覆う伸縮可能なものであり、ケース１６に取り付けられている。ブーツ２８は上面と下面が開口した中空の蛇腹状に形成されている。図１に示すように、ブーツ２８の開口下面の内周面には、半径方向に内向きに環状に突出した環状凹部９６が形成されており、環状凹部９６は、ケース１６のフランジ部３４にはめ込まれている。一方、ブーツ２８の開口上面の内周面には、半径方向に内向きに環状に突出した環状凹凸９７が形成されている。また、ロッド２０の進退時にロッド２０がブーツ２８に対して軸回り方向へ円滑に回転するように、ブーツ２８の環状凹凸９７は、ブーツ２８に設けられた筒状のカラー１００と、ロッド側に設けられた筒状のシール１０２を挟んで、ロッド２０の環状溝７６にはめ込まれている。
【００５７】
（作用・効果）
次に、本実施形態の押上装置１０の作用効果について説明する。
図２に示すように、押上装置１０は、組み立てた状態で、ケース１６を、インナーパネル１４の取付け孔３２に合わせてはめ込むことで、インナーパネル１４に固定される。また、フューエルリッド１２が閉じた状態では、押上装置１０はロッド２０が短縮したロック状態にロックされている。
【００５８】
また、閉じた状態のフューエルリッド１２を押し込むと、押上装置１０のロッド２０がケース１６内に押し込まれ、ロック状態が解除される。この結果、第２スプリング２６の圧縮復元力により、ロッド２０がケース１６内から突出し、フューエルリッド１２を押し開くと共に、ロッド２０の係合部６７とリテーナ６９の係合孔６９Ａとの係合が解除される。このため、押し開かれたフューエルリッド１２を手で容易に開くことができる。
【００５９】
より具体的に説明すると、ロッド２０が短縮したロック状態では、図６に示すように、回転カム２２の係合突起５６とキャップ１８のロック溝５２とが係合し、ロック部５２Ｂにはまり込んでいる。この状態で、ロッド２０がケース１６内に押し込まれると、ロッド２０の突出部６４に押されて、スライドカム２１とともに回転カム２２が下降する。このため、図５に示すように、回転カム２２の係合突起５６が、キャップ１８のロック部５２Ｂから係脱する。このとき、スライドカム２１の固定側カム７２と、回転カム２２の可動側カム部８２とのかみ合いが係脱し、矢印Ｂの方向に、回転カム２２が回転する。次いで、ロッド２０を押し込む力が解放されると、回転カム２２が、第２スプリング２６の圧縮復元力により押し上げられる。このとき、回転カム２２の係合突起５６が、キャップ１８の第２斜面部５２Ｄに当接する。このため、係合突起５６は、第２斜面部５２Ｄに摺接しながら上昇し、図４に示すように、第２斜面部５２Ｄの斜面上端部からスライド溝５０にはまり込む。
【００６０】
図４に示すように、係合突起５６が、スライド溝５０にはまり込むと、係合突起５６はスライド溝５０に沿って上昇可能となる。このため、第２スプリング２６の圧縮復元力により、第２スリーブ２４を介してロッド２０の突出部６４が押し上げられ、ロッド２０がケース１６から突出して伸張する。
【００６１】
一方、開いたフューエルリッド１２を手で閉じると、伸張した押上装置１０のロッド２０が、第２スプリング２６の付勢力に抗して、ケース１６に向かって押し込まれ、回転カム２２の係合突起５６が、スライド溝５０に沿って下降する。
【００６２】
次いで、ロッド２０が、第２スプリング２６の付勢力に抗して、ケース１６に向かってさらに押し込まれ、回転カム２２の係合突起５６が、スライド溝５０に沿って下降し、係合突起５６がスライド溝５０の開口下端から抜け出ると、回転カム２２の回転が可能となる。このため、固定側カム７２と可動側カム部８２とのかみ合いの係脱により、図５の矢印Ｂの方向に、回転カム２２が回転し、スライド溝５０の下側からロック溝５２の第１斜面部５２Ａに向かって移動する。
【００６３】
次いで、ロッド２０を押し込む力が解放されると、回転カム２２が、第１スプリング２５と第２スプリング２６の圧縮復元力により押し上げられる。このとき、係合突起５６が第１斜面部５２Ａに当接する。このため、係合突起５６は、第１斜面部５２Ａに摺接しながら上昇し、図６に示すように、ロック部５２Ｂにはまり込み、再度、ロック状態に復帰する。
【００６４】
従って、本実施形態の押上装置１０では、第２スプリング２６が、ケース１６内と第２スリーブ２４との間で弾縮され、第２スリーブ２４を介しロッド２０を突出方向に向かって付勢する。また、第１スプリング２５が第１スリーブ２３と第２スリーブ２４との間で弾縮され、第１スリーブ２３と第２スリーブ２４とを互いに離間する方向へ付勢する。このため、図２に示すロック状態では、第２スプリング２６によって付勢された第２スリーブ２４が第１スリーブ２３に当接し、第１スリーブ２３が回転カム２２をスライドカム２１に押圧した状態でロックされているので、ロッド２０の軸方向へのガタが低減される。
【００６５】
また、本実施形態では、ロッド２０に設けられたガイド溝７５と、キャップ１８に設けられた凸部４５により、ロッド２０の進退時にロッド２０が軸回り方向へ回転する。そして、ロック状態では、ロッド２０の先端部に設けられた係合部６７が、フューエルリッド１２の裏面に取付けられたリテーナ６９の係合孔６９Ａに、図２に二点鎖線で示すように係合する。このため、ロック状態でのロッド２０及びフューエルリッド１２のガタを低減できる。
【００６６】
また、本実施形態では、図１に示すロッド２０のロック開放状態では、第１スリーブ２３と第２スリーブ２４との間に隙間があるが、図２に示すロッド２０のロック状態では、第１スリーブ２３と第２スリーブ２４との間に隙間が無くなる。また、ロック状態では、第２スプリング２６が回転カム２２をスライドカム２１に押圧した状態でロックされているが、作動の際には、ロッド２０が、反突出方向（図２の矢印Ａと反対方向）へ押されるため、図１に示すように第１スリーブ２３と第２スリーブ２４との間に隙間が生じて、回転カム２２とスライドカム２１に第２スプリング２６の付勢力が作用しなくなる。このため、第１スプリング２５の付勢力を回転カム２２とスライドカム２１の作動に必要な最小限の軽い荷重に抑えることで、回転カム２２とスライドカム２１の作動音を低減できる。
【００６７】
（第２実施形態）
次に、本発明の押上装置の第２実施形態を図９〜図１１に従って説明する。
なお、第１実施形態と同一部材に付いては、同一符号を付してその説明を省略する。
【００６８】
図９〜図１１に示すように、本実施形態では、第１実施形態における第１スリーブ２３に代えてスリーブ１２０、第１実施形態における第２スリーブ２４に代えてグロメット１２２が設けられている。
【００６９】
スリーブ１２０は、スリーブ本体１２０Ａ、鍔部１２０Ｂを備えており、グロメット１２２は、グロメット本体１２２Ａ、縮径部１２２Ｂ、スリット１２２Ｃを備えている。
【００７０】
スリーブ１２０は、ロッド２０の下側ロッド部６８に挿通され、回転カム２２と第２スプリング２６との間に位置し、グロメット１２２は、ロッド２０の下側ロッド部６８に挿通され、スリーブ１２０の下側に位置している。
【００７１】
図９に示すように、スリーブ１２０のスリーブ本体１２０Ａと、グロメット１２２のグロメット本体１２２Ａは筒形に形成されており、下側ロッド部６８に挿通されている。また、スリーブ１２０の鍔部１２０Ｂは、回転カム２２と当接するスリーブ本体１２０Ａの上端部に位置しており、半径方向に外向きと内向きの双方に張り出している。
【００７２】
グロメット１２２の縮径部１２２Ｂは、上端部と反対側のグロメット本体１２２Ａの下端部に位置しており、半径方向に内向きに突出している。この縮径部１２２Ｂは、ロッド２０の下側ロッド部６８の下端部に形成されたくびれ部８０にはまり込むようになっている。なお、ロッド２０のくびれ部８０の高さは、グロメット１２２の縮径部１２２Ｂの上下方向の肉厚より高く設定されている。このため、くびれ部８０に、縮径部１２２Ｂがはまり込んだ状態で、くびれ部８０の高さ方向にクリアランスが発生するようになっている。この結果、グロメット１２２の縮径部１２２Ｂは、ロッド２０のくびれ部８０のクリアランス分だけ上下に昇降可能となっている。一方、ロッド２０はグロメット１２２に対して前記クリアランス分だけ上下に昇降可能となっている。
【００７３】
また、スリット１２２Ｃはグロメット本体１２２Ａの下端部を複数に切り割っており、スリット１２２Ｃはグロメット本体１２２Ａの直径方向に二対形成され、グロメット本体１２２Ａの下側の端面から上方に向かって途中まで形成されている。
【００７４】
第２スプリング２６は、ケース１６とグロメット１２２との間に位置し、グロメット１２２の鍔部１２０Ｂの外周部とケース１６の底との間で圧縮されるようになっており、回転カム２２、スライドカム２１を介してロッド２０をケース１６内から押し出す突出方向に向かって付勢している。また、第１スプリング２５は、グロメット１２２とスリーブ１２０との間に位置し、グロメット１２２のグロメット本体１２２Ａと、スリーブ１２０の鍔部１２０Ｂの内周部との間で圧縮されるようになっており、スリーブ１２０とグロメット１２２とを互いに離間する方向へ付勢している。
【００７５】
（作用・効果）
次に、本実施形態の押上装置１０の作用効果について説明する。
なお、第１実施形態と同一の作用効果に付いてはその説明を省略する。
【００７６】
本実施形態では、第２スプリング２６が、ケース１６内とスリーブ１２０との間で弾縮され、スリーブ１２０を介しロッド２０を突出方向に向かって付勢する。また、第１スプリング２５がスリーブ１２０とグロメット１２２との間で弾縮され、スリーブ１２０とグロメット１２２とを互いに離間する方向へ付勢する。このため、図１０に示すロック状態では、第１スプリング２５が回転カム２２をスライドカム２１に押圧した状態でロックされているので、ロッド２０の軸方向へのガタが低減される。
（第３実施形態）
次に、本発明の押上装置の第３実施形態を図１２〜図１４に従って説明する。
なお、第１実施形態と同一部材に付いては、同一符号を付してその説明を省略する。
【００７７】
図１２〜図１４に示すように、本実施形態では、第１実施形態におけるロッド２０の突出部６４とスライドカム２１が一体となって、ロッド２０のスライドカムとしてのカム部１３０となっている。また、第１実施形態における回転カム２２が回転カム１４０となっている。このため、本実施形態では、スライド溝５０によって、ロッド２０はスライド可能で、且つ回転不能に保持されている。また、ブーツ２８は上端部が袋状に閉じており、ブーツ２８の上端部の内周面には、半径方向に内向きに環状に突出した環状突起９４が形成されており、この環状突起９４がロッド２０の上端に形成された環状溝７６にはまり込むようになっている。
【００７８】
また、本実施形態では、第１実施形態における第１スリーブ２３と第２スリーブ２４とに代えて、スリーブ１３２を備えている。このスリーブ１３２は、スリーブ本体１３２Ａ、鍔部１３２Ｂ、縮径部１３２Ｃ，スリット１３２Ｄを備えている。
【００７９】
スリーブ１３２は、ロッド２０の下側ロッド部６８に挿通され、回転カム１４０の下側に位置している。スリーブ１３２のスリーブ本体１３２Ａは筒形に形成されており、下側ロッド部６８に挿通されている。また、スリーブ１３２の鍔部１３２Ｂは、回転カム１４０と当接するスリーブ本体１３２Ａの上端部に位置しており、半径方向に外向きに張り出し、外周部には上方へ向けて筒状の壁部が形成されている。
【００８０】
スリーブ１３２の縮径部１３２Ｃは、上端部と反対側のスリーブ本体１３２Ａの下端部に位置しており、半径方向に内向きに突出している。この縮径部１３２Ｃは、ロッド２０の下側ロッド部６８の下端部に形成されたくびれ部８０にはまり込むようになっている。なお、ロッド２０のくびれ部８０の高さは、スリーブ１３２の縮径部１３２Ｃの上下方向の肉厚より高く設定されている。このため、くびれ部８０に、縮径部１３２Ｃがはまり込んだ状態で、くびれ部８０の高さ方向にクリアランスが発生するようになっている。この結果、スリーブ１３２の縮径部１３２Ｃは、ロッド２０のくびれ部８０のクリアランス分だけ上下に昇降可能となっている。一方、ロッド２０はスリーブ１３２に対して前記クリアランス分だけ上下に昇降可能となっている。また、スリット１３２Ｄは、スリーブ本体１３２Ａの上下方向中間部を複数に切り割っている。
【００８１】
第２スプリング２６は、ケース１６とスリーブ１３２との間に位置し、スリーブ１３２の鍔部１３２Ｂの外周部とケース１６の底との間で圧縮されるようになっており、スリーブ１３２を介してロッド２０をケース１６内から押し出す突出方向に向かって付勢している。また、第１スプリング２５は、スリーブ１３２と回転カム１４０との間に位置し、スリーブ１３２の鍔部１３２Ｂと回転カム１４０との間で圧縮されるようになっており、回転カム１４０とスリーブ１３２とを互いに離間する方向へ付勢している。
【００８２】
（作用・効果）
次に、本実施形態の押上装置１０の作用効果について説明する。
なお、第１実施形態と同一の作用効果に付いてはその説明を省略する。
【００８３】
本実施形態では、図１３に示すように、ロッド２０の下側ロッド部６８に挿通された第２スプリング２６が、ケース１６内とスリーブ１３２との間で弾縮され、スリーブ１３２を介してロッド２０を突出方向に向かって付勢する。また、下側ロッド部６８に挿通された第１スプリング２５がスリーブ１３２と回転カム１４０との間で弾縮され、回転カム１４０とスリーブ１３２とを互いに離間する方向へ付勢する。このため、図１３に示すロック状態では、第２スプリング２６によって付勢されたスリーブ１３２が回転カム１４０に当接し、回転カム１４０がカム部１３０に押圧した状態でロックされているので、ロッド２０の軸方向へのガタが低減される。
【００８４】
また、本実施形態では、図１２に示すロッド２０のロック開放状態では、回転カム１４０とスリーブ１３２との間に隙間があるが、図１３に示すロッド２０のロック状態では、回転カム１４０とスリーブ１３２との間に隙間が無くなる。また、ロック状態では、第２スプリング２６が回転カム１４０をカム部１３０に押圧した状態でロックされているが、作動の際には、ロッド２０が、反突出方向へ押されるため、図１２に示すように回転カム１４０とスリーブ１３２との間に隙間が生じて、回転カム１４０とカム部１３０に第２スプリング２６の付勢力が作用しなくなる。このため、第１スプリング２５の付勢力を回転カム１４０とカム部１３０の作動に必要な最小限の軽い荷重に抑えることで、回転カム１４０とカム部１３０の作動音を低減できる。
【００８５】
（その他の実施形態）
以上に於いては、本発明を特定の実施形態について詳細に説明したが、本発明は上記各実施形態に限定されるものではなく、本発明の範囲内にて他の種々の実施形態が可能であることは当業者にとって明らかである。例えば、ロッド付勢手段、ロック手段及び回転カム付勢手段は上記各実施形態の構成に限定されない。
【００８６】
また、上記各実施形態では本発明の押上装置１０を、第１部材としてのフューエルリッド１２に対向する第２部材としての車体のインナーパネル１４に取付けたが、本発明の押上装置は、フューエルリッド以外の他の第１部材に対向する、車体のインナーパネル以外の他の第２部材に取付けてもよい。
【符号の説明】
【００８７】
１０    押上装置
１２    フューエルリッド（第１部材）
１４    インナーパネル（第２部材）
１６    ケース
１８    キャップ
２０    ロッド
２１    スライドカム（ロック手段）
２２    回転カム（ロック手段）
２３    第１スリーブ（ロック手段）
２４    第２スリーブ（ロック手段）
２５    第１スプリング（回転カム付勢手段）
２６    第２スプリング（ロッド付勢手段）
２８    ブーツ
５０    スライド溝
５２    ロック溝
５２Ｂ    ロック部
５６    係合突起
６４    突出部（ロック手段）
１２０    スリーブ（ロック手段）
１２２    グロメット（ロック手段）
１３０    カム部（スライドカム）
１３２    スリーブ（ロック手段）
１４０    回転カム（ロック手段）
【図１】
2015131542.tif 000003
【図２】
2015131542.tif 000004
【図３】
2015131542.tif 000005
【図４】
2015131542.tif 000006
【図５】
2015131542.tif 000007
【図６】
2015131542.tif 000008
【図７】
2015131542.tif 000009
【図８】
2015131542.tif 000010
【図９】
2015131542.tif 000011
【図１０】
2015131542.tif 000012
【図１１】
2015131542.tif 000013
【図１２】
2015131542.tif 000014
【図１３】
2015131542.tif 000015
【図１４】
2015131542.tif 000016